(57)【要約】    【課題】      固定型の記録手段に記録されたコンテンツを管理することにより、固定型の記録手段の容量を有効に使うことができるようにすること。    【解決手段】  本発明は、固定型の記録手段に記録されたコンテンツが着脱可能な記録手段の記録可能なデータ量になった場合に固定型の記録手段に記録されたコンテンツを自動的に着脱可能な記録手段にダビングするようにした。これにより、固定型の記録手段に記録されたコンテンツを効率的にダビングできるので、固定型の記録手段の容量を有効に使うことができる。  【選択図】      図１
2006197347.tif 000002
【特許請求の範囲】
【請求項１】
コンテンツを記録する固定型の記録手段と、コンテンツを記録する着脱可能な記録手段と、前記固定型の記録手段に記録されたコンテンツが前記着脱可能な記録手段の記録可能なデータ量になった場合に前記記録された当該コンテンツを自動的に前記着脱可能な記録手段にダビングする制御手段と、を具備したことを特徴とする記録装置。
【請求項２】
ダビング対象のコンテンツを設定する録画予約テーブルを有し、前記ダビング対象のコンテンツだけを選択して着脱可能な記録手段にダビングすることを特徴とする請求項１記載の記録装置。
【請求項３】
前記ダビング対象のコンテンツは、同一のタイトルを持つシリーズのコンテンツであることを特徴とする請求項２記載の記録装置。
【請求項４】
前記固定型の記録手段に記録された前記コンテンツの類似部分を検出し、前記コンテンツの類似部分を削除する不要部分削除手段を具備したことを特徴とする請求項１から請求項３のいずれかに記載の記録装置。
【請求項５】
前記ダビング可能な開始時間を検出し、検出した前記開始時間にダビングを開始するように予約するダビング予約手段を有することを特徴とする請求項１から請求項４のいずれかに記載の記録装置。
【請求項６】
前記ダビングを行った前記コンテンツを前記固定型の記録手段から削除する削除手段を具備したことを特徴とする請求項１から請求項５のいずれかに記載の記録装置。
【請求項７】
前記ダビング開始する旨を提示することを特徴とする請求項１から請求項６のいずれかに記載の記録装置。
【発明の詳細な説明】
【技術分野】
【０００１】
本発明は、放送プログラム等のコンテンツを受信し、ＨＤＤやＤＶＤ等のメディアに記録する記録装置に関し、特にＨＤＤとＤＶＤ等の着脱型の記録媒体を利用できる記録装置に関する。
【背景技術】
【０００２】
従来より、放送あるいはネットワークを介して取得した番組を、固定型で大容量の記録媒体であるハードディスク（以下、ＨＤＤという）に記録し、必要に応じてＨＤＤに記録した番組を着脱型の記録媒体であるＤＶＤ、メモリカードなどに記録する記録装置がある。
【０００３】
また、近年、この種の記録装置は、ＨＤＤを用いることにより、長時間、番組を録画することが可能となっている。また、ＥＰＧ等を活用することにより、シリーズになっている番組の予約をまとめて行うシリーズ予約が可能な装置もある。
【０００４】
シリーズ予約の方法としては、例えば、特許文献１に開示されたものがある。この方法は、番組の内容とテープ番号とを対応付けて管理し、既に録画したことのある番組と同じタイトルの番組を録画予約した際に、シリーズ予約と判断し、録画したテープ番号を表示する。そして、ユーザに、そのテープを挿入させて録画させることにより、同じテープにシリーズの番組を録画するものである。
【特許文献１】特開２００１−２６８４９５号公報
【発明の開示】
【発明が解決しようとする課題】
【０００５】
しかしながら、上述した録画装置は、ＨＤＤが大容量になったとはいえ、シリーズ予約などにより大量の録画を行うと、すぐにＨＤＤが番組の録画でいっぱいになってしまう。これに伴い、予約ができなくなる等の問題や、録画コンテンツが多すぎて探すのが困難になる、つまり録画コンテンツが管理できないといった課題がある。
【０００６】
本発明は、かかる点に鑑みてなされたもので、固定型の記録手段に記録されたコンテンツを管理することにより、固定型の記録手段の容量を有効に使うことができるようにすることを目的とする。
【課題を解決するための手段】
【０００７】
本発明は、固定型の記録手段に記録されたコンテンツが着脱可能な記録手段の記録可能なデータ量になった場合に固定型の記録手段に記録されたコンテンツを自動的に着脱可能な記録手段にダビングするようにした。
【発明の効果】
【０００８】
本発明によれば、固定型の記録手段に記録されたコンテンツを効率的にダビングできるので、固定型の記録手段の容量を有効に使うことができる。
【発明を実施するための最良の形態】
【０００９】
本発明の第１の態様にかかる記録装置は、コンテンツを記録する固定型の記録手段と、コンテンツを記録する着脱可能な記録手段と、前記固定型の記録手段に記録されたコンテンツが前記着脱可能な記録手段の記録可能なデータ量になった場合に前記記録された当該コンテンツを自動的に前記着脱可能な記録手段にダビングする制御手段と、を具備した構成を採る。
【００１０】
これにより、固定型の記録手段に記録されたコンテンツを効率的にダビングできるので、固定型の記録手段の容量を有効に使うことができる。また、着脱可能な記録手段の容量分のデータが貯まった時点でダビングを行うので、着脱可能な記録手段の容量も効果的に使用でき、ダビングする着脱可能な記録手段の数およびダビング回数も削減できる。
【００１１】
本発明の第２の態様は、第１の態様にかかる記録装置において、ダビング対象のコンテンツを設定する録画予約テーブルを有し、前記ダビング対象のコンテンツだけを選択して着脱可能な記録手段にダビングする。
【００１２】
これにより、必要なコンテンツだけをダビングでき、着脱可能な記録手段の容量を効率的に使用でき、かつ再生などの時間削減にもなる。
【００１３】
本発明の第３の態様は、第２の態様にかかる記録装置において、前記ダビング対象のコンテンツは、同一のタイトルを持つシリーズのコンテンツである。
【００１４】
これにより、シリーズ予約されたコンテンツを自動的にダビングできる。シリーズ予約は大量のコンテンツを扱うため、固定型の記録手段がいっぱいになりやすいので、特に効率的である。
【００１５】
本発明の第４の態様は、第１の態様から第３の態様のいずれかにかかる記録装置において、前記固定型の記録手段に記録された前記コンテンツの類似部分を検出し、前記コンテンツの類似部分を削除する不要部分削除手段を具備した構成を採る。
【００１６】
これにより、重複の少ないコンテンツを保存することができる。この結果、コンテンツを効率よく保存することができ、ダビングしたコンテンツの再生にかかる時間も削減することができる。
【００１７】
本発明の第５の態様は、第１の態様から第４の態様のいずれかにかかる記録装置において、前記ダビング可能な開始時間を検出し、検出した前記開始時間にダビングを開始するように予約するダビング予約手段を有する。
【００１８】
これにより、記録装置を使わない時間帯にダビングを実施することができる。この結果、ダビングを行ったために録画予約した番組の録画ができないなどの事態を防ぐことができる。
【００１９】
本発明の第６の態様は、第１の態様から第５の態様のいずれかにかかる記録装置において、前記ダビングを行った前記コンテンツを前記固定型の記録手段から削除する削除手段を具備した構成を採る。
【００２０】
これにより、固定型の記録手段がいっぱいになることによる録画失敗を回避することができる。
【００２１】
本発明の第７の態様は、第１の態様から第６の態様のいずれかにかかる記録装置において、前記ダビング開始する旨を提示する。
【００２２】
これにより、これにより、ユーザにダビングの最終確認をすることができる。
【００２３】
以下、本発明の一実施の形態にかかる記録装置について、図１を用いて説明する。
【００２４】
本実施の形態にかかる記録装置１００には、放送あるいはネットワーク１０１を介してコンテンツとして放送プログラム（以下、番組という）とこれに伴う情報としてＥＰＧ（電子プログラム情報）情報を取得する受信部１０２が設けられている。受信部１０２は、受信した情報を制御部１０３に送る。
【００２５】
なお、本実施の形態では、コンテンツとして番組を用いて説明するが、番組以外、例えば、音楽、静止画、テキスト、などいかなるコンテンツであっても良い。
【００２６】
また、記録装置１００には、リモコン１０６から赤外線等で送られてくる、番組録画、番組再生、番組ダビング、録画予約などに関する情報を受信する受光部１０５が設けられている。受光部１０５は、受信した情報を制御部１０３に送る。
【００２７】
制御部１０３は、番組の、録画、再生、ダビングなどの処理を行う手段である。具体的には、制御部１０３は、受信した番組などの情報をＨＤＤ（ハードディスク）１０４に送り、ＨＤＤ１０４が記録する。また、制御部１０３は、ＨＤＤ１０４に記録された番組などの情報をＤＶＤ記録再生部１０７に送り、ＤＶＤ記録再生部１０７にＤＶＤに記録させる処理を行わせる。
【００２８】
なお、本実施の形態では、固定型の大容量記録媒体としてＨＤＤ１０４を、着脱可能な記録媒体としてＤＶＤを用いて説明するが、固定型の大容量記録媒体としてＨＤＤ１０４以外を使用しても良いし、着脱可能な記録媒体としてＤＶＤ以外、例えばメモリカードなどを使用しても良い。
【００２９】
また、制御部１０３は、受光部１０５を介して録画予約に関する情報を受信すると、受信した情報を録画予約テーブル１０８に格納する。録画予約テーブル１０８は、録画予約に関する情報を格納したテーブルである。録画予約テーブル１０８の詳細については、後述する。
【００３０】
また、制御部１０３は、ＨＤＤ１０４に記憶した番組などの情報をＤＶＤ記録再生部１０７においてダビングする際に、番組などの情報と共に書き込む情報をメディア管理テーブル１０９から取得する。メディア管理テーブル１０９は、録画予約テーブル１０８をもとに作成されたものであり、ＤＶＤ（メディア）毎に記録する情報を管理している。なお、メディア管理テーブル１０９の詳細については、後述する。
【００３１】
また、制御部１０３は、ＨＤＤ１０４に録画した番組や、ＤＶＤ記録再生部１０７において再生された情報を、出力部１１０を介して、モニタなどの表示部１１１に出力する。そして、表示部１１１が受信した番組などの情報を表示する。
【００３２】
また、記録装置１００には、不要部分削除部１１２が設けられている。不要部分削除部１１２は、番組をＤＶＤにダビングする際に、番組の不要部分（重複部分）の削除を行う。不要部分削除部１１２は、番組のＣＭ部分や、番組のＣＭ前後で繰り返し放送される部分や、番組のオープニングやエンディングや、予告部分等を削除する。
【００３３】
また、不要部分削除部１１２は、受信したコンテンツにメタデータが付与されていれば、メタデータを利用することにより、不要部分の削除を行う。メタデータが付与されない場合は、不要部分削除部１１２は、ＣＭの前後の画像音響情報を比較して、重複部分を抽出する。また、不要部分削除部１１２は、エンディングやオープニングについては、例えば、シリーズ録画の第１回目と第２回目のコンテンツの内容を比較することにより、抽出することができる。
【００３４】
また、記録装置１００には、削除部１１３が設けられている。削除部１１３は、番組などの情報をＤＶＤにダビング終了後にＨＤＤ１０４に記録されたダビング済みの情報を削除するか否かを決定する。ＨＤＤ１０４に記録されたダビング済みの情報を削除するか否かは、ユーザが削除部１１３に対して設定する。
【００３５】
ユーザは、シリーズ予約を行う際に、ＤＶＤに１枚ダビング終了後、ＨＤＤ１０４に記録されたダビング済みの情報を削除するか、全シリーズ録画終了後にダビング済みの情報を削除するかなどを設定する。
【００３６】
また、記録装置１００には、ダビング予約部１１４が設けられている。ダビング予約部１１４は、記録装置１００が動作中で、すぐにダビング処理に取り掛かれないときには、記録装置１００が動作していない時間にダビングを行うようにダビング開始時間を設定する。ダビング予約部１１４は、ダビングに必要な時間を計測し、計測した時間と、録画予約テーブル１０８から抽出した次に番組録画が開始する予約開始時間とを比較する。次に、ダビング予約部１１４は、この比較結果をもとに、ダビングを開始した際にダビング終了までに、録画処理が開始されないかを判断する。そして、ダビング予約部１１４は、ダビング終了までに録画処理が開始されないと判断するとダビングを実施する。また、ダビング終了までに録画処理が開始されると判断すると、ダビング予約部１１４は、次の録画終了後から次の録画開始までにダビングが終わる期間を検出し、その期間にダビングを行う。
【００３７】
次に、録画予約テーブル１０８について、図２を用いて説明する。
【００３８】
録画予約テーブル１０８には、録画方法の設定に関する録画方法設定部２１５と、録画する番組の情報に関する番組予約情報部２１６がある。録画方法設定部２１５は、録画方法２０１と、タイトル２０２と、保存先の条件２０３と、不要部分削除に関する条件２０４と、を格納する。録画方法２０１は、番組を関連つけて録画する方法に関するものであり、図２の例では、シリーズ予約となっている。なお、録画方法２０１は、複数の番組を関連つけて録画する方法ならいかなるものでもよい。例えば、録画方法２０１としては、スポーツ（さらに細かくサッカー、野球など）、ニュースなどの同一ジャンルの番組をまとめるジャンル予約や、車、温泉、料理などのキーワードを用いてまとめるキーワード予約などがある。
【００３９】
この録画方法２０１により、ユーザはダビング対象のコンテンツを関連つけて設定することができる。これにより、必要なコンテンツだけをダビングでき、ＤＶＤの容量を効率的に使用でき、かつ再生などの時間削減にもなる。
【００４０】
また、タイトル２０２は、録画方法２０１に対するタイトルである。また、保存先の条件２０３は、図２の例ではＤＶＤ保存となっているが、リムーバブルな記録手段であればＤＶＤ以外であっても良い。また、不要部分削除に関する条件２０４は、図２の例では、ＣＭカット、予告編カットとなっているが、これ以外に、ＣＭの前後において繰り返される重複部分カット、エンディングやオープニングカットなどがある。
【００４１】
また、番組予約情報部２１６として、日付２０５、開始時間２０６、終了時間２０７、チャンネル２０８、サブタイトル２０９、録画終了したか否かを示す録画フラグ２１０、時間（時分）や記録容量（ＭＢ）などで表されるサイズ２１１、保存が終了したか否かを示す保存フラグ２１２、保存のフォーマット２１３、保存先の外部メディアの番号２１４と、の組が格納されている。
【００４２】
なお、サイズ２１１は、必要に応じてＣＭや予告編や重複部など不要部分をカットした後のサイズである。
【００４３】
外部メディア番号２１４は、サイズ２１１と、フォーマット２１３から、保存先の条件２０３に録画できる番組数を制御部１０３が計算し、格納する。
【００４４】
このように構成された録画予約テーブル１０８を参照することにより、同一の記録メディアにまとめて保存する番組の情報や、まとめて保存する番組の録画状況、録画方法、なども把握できる。
【００４５】
なお、録画予約テーブル１０８は、ユーザが入力したシリーズ予約やタイトル情報に基対して、制御部１０３がＥＰＧなどを用いて自動的に生成しても良いし、ユーザ入力のみから生成しても良い。
【００４６】
次に、メディア管理テーブル１０９について、図３を用いて説明する。なお、既に説明した部分については同一の符号を付与し、詳細な説明を省略する。
【００４７】
メディア管理テーブル１０９は、メディア毎に格納する情報を管理するためのテーブルである。具体的には、メディア管理テーブル１０９には、タイトル２０２と、外部メディア番号２１４と、サブタイトル２０９と、開始時間２０６と、終了時間２０７と、チャンネル２０８と、サイズ２１１と、フォーマット２１３と、の組が格納されている。
【００４８】
このメディア管理テーブル１０９の外部メディア番号２１４と、これに対応する、タイトル２０２と、サブタイトル２０９と、開始時間２０６と、終了時間２０７と、チャンネル２０８と、サイズ２１１と、フォーマット２１３と、を参照することにより、外部メディア（ＤＶＤ）毎にどのような番組を録画するか、また録画する番組に関する情報は何かを容易に把握できる。
【００４９】
次に、記録装置１００の処理について、図４のフローチャートを用いて説明する。
【００５０】
まず、記録装置１００は、リモコン１０６から送られてきた番組の予約情報を受光部１０５にて、受光する。そして、受光部１０５は、受光した情報を解析して、制御部１０３が解読できる形態に変換し、制御部１０３に送る。そして、制御部１０３は、送られてきた予約情報を入力する（ＳＴ４０１）。
【００５１】
ここで、制御部１０３が入力する予約情報としては、シリーズ予約などの録画方法２０１、タイトル２０２と、保存先の条件２０３と、不要部分削除に関する条件２０４と、日付２０５、開始時間２０６、終了時間２０７、チャンネル２０８、サブタイトル２０９、時間などで表されるサイズ２１１、保存のフォーマット２１３、などである。これらの情報は、ＥＰＧからの情報とユーザからの条件入力によりリモコン１０６を介して送られてくる。
【００５２】
次に、制御部１０３は、ＳＴ４０１において入力した予約情報を録画予約テーブル１０８に格納する（ＳＴ４０２）。これにより、制御部１０３は、録画に関する予約情報を管理する。
【００５３】
次に、制御部１０３は、シリーズ予約する番組のいずれかが録画された場合に、録画フラグ２１０を済みにすると共に、シリーズ予約する番組のうち録画された番組のサイズ２１１を参照し、サイズ２１１が時間で記述されている場合はサイズ２１１とフォーマット２１３とから録画データ量を算出し、サイズ２１１がデータ量で計算されている場合はこれを合計することで、録画された番組の累計録画データ量を算出する（ＳＴ４０３）。具体的には、制御部１０３は、録画予約テーブル１０８の、録画フラグ２１０と保存フラグ２１２を参照し、録画フラグ２１０が録画済みを示している番組で、かつ保存フラグ２１２が保存を示していない番組を抽出する。次に、制御部１０３は、抽出した番組のサイズ２１１にフォーマット２１３を加味し、今まで録画された番組の累計録画データ量を算出する。
【００５４】
フォーマット２１３と、ＤＶＤ−ＲＡＭおよびＤＶＤ−Ｒへの録画可能時間との対応関係について、図５に示す。
【００５５】
なお、制御部１０３は、番組のＭＰＥＧ２ストリーム・ヘッダから正確な番組の録画データ量を読み取り、累計録画データ量を計算するようにしても良い。
【００５６】
次に、制御部１０３は、録画予約テーブル１０８の保存先の条件２０３を参照し、保存メディアに記録可能なデータ量を認識する。次に、制御部１０３は、認識したメディアのデータ量と、ＳＴ４０３において計算した累計録画データ量を比較することにより、録画した番組がメディア１枚分の量になったか把握する（ＳＴ４０４）。
【００５７】
そして、制御部１０３は、累計録画データ量がメディア１枚分になるまで、ＳＴ４０３、ＳＴ４０４の処理を繰り返す。
【００５８】
そして、累計録画データ量がメディア１枚分になった場合、制御部１０３は、シリーズ予約されＨＤＤ１０４に録画された番組の情報をＤＶＤへダビング実施するかどうかのメッセージを表示部１１１に表示することで、ユーザに確認する（ＳＴ４０５）。ユーザがダビングをＯＫした際には、制御部１０３は、新しいメディア（ＤＶＤ）の挿入メッセージを表示部１１１に表示する（ＳＴ４０６）。
【００５９】
このように、ダビング開始をユーザに提示することにより、ユーザにダビングの最終確認をすることができる。また、ＤＶＤが挿入されていないことによりダビングが行えないという事態を防ぐことができる。
【００６０】
そして、ユーザがメディアを挿入すると、制御部１０３は、シリーズ予約されＨＤＤ１０４に録画された番組の情報をＤＶＤへダビングする処理を実施する。
【００６１】
まず、制御部１０３は、録画予約テーブル１０８から情報を抽出し、メディア管理テーブル１０９を作成する（ＳＴ４０７）。このように、制御部１０３は、番組と共にメディアに記録する情報をまとめる。
【００６２】
次に、記録装置１００は、ダビング予約部１１４において、記録装置１００がＨＤＤ１０４に録画している番組の再生中である、もしくはダビングを行った場合次の番組録画の時間と重なるなどの理由で、すぐにダビング処理に取り掛かれるか否かを判断する（ＳＴ４０８）。
【００６３】
具体的には、ダビング予約部１１４は、記録装置１００が現在何らかの処理を実行中の場合には、すぐにダビングを実行できないと判断する。さらに、ダビング予約部１１４は、記録装置１００が現在何の処理も行っていない場合でも、ダビングに必要な時間を計測し、計測した時間と、録画予約テーブル１０８から抽出した次に番組録画が開始する予約開始時間とを比較する。次に、ダビング予約部１１４は、この比較結果をもとに、ダビングを開始した際にダビング終了までに、録画処理が開始されるか判断する。そして、ダビングを開始した際にダビング終了までに、録画処理が開始されない場合に、ダビング予約部１１４は、すぐにダビングに取り掛かれると判断する。
【００６４】
そして、ダビング予約部１１４は、ＳＴ４０８において、すぐにダビングを開始できないと判断すると、録画予約テーブル１０８を参照し、録画終了後から録画開始までにダビングが終わる期間を判断し、その期間の始めの時刻をダビング開始時刻とする（ＳＴ４０９）。
【００６５】
このように、ダビング予約部１１４のダビング予約機能記録を使うことにより、記録装置１００を使わない時間帯にダビングを実施することができる。この結果、ダビングを行ったために録画予約した番組の録画ができないなどの事態を防ぐことができる。なお、ダビング予約は、時間を指定するようにしても良い。
【００６６】
次に、記録装置１００の不要部分削除部１１２が、録画予約テーブル１０８の不要部分削除に関する条件２０４を参照し、ダビングの際に映像の不要部分の削除を行うか否かを判断する。
【００６７】
不要部分の削除を行うと判断した場合、不要部分削除部１１２は、ＣＭ部分の削除や、ＣＭ前後で繰り返し放送される部分や、番組のオープニングやエンディング、予告部分等を削除する（ＳＴ４１０）。
【００６８】
このように、番組の不要部分である類似部分を削除することにより、重複の少ない番組を保存することができる。この結果、番組を効率よく保存することができ、ダビングした番組の再生にかかる時間も削減することができる。
【００６９】
次に、記録装置１００の制御部１０３が、ＳＴ４１０において必要に応じて不要部分を削除した番組と、メディア管理テーブル１０９の内容をＤＶＤ記録再生部１０７に送り、ＤＶＤ記録再生部１０７が送られてきた番組とメディア管理テーブル１０９の内容をＤＶＤにダビングする（ＳＴ４１１、ＳＴ４１２）。また、制御部１０３は、ダビングした番組の保存フラグ２１２を済みに変える。
【００７０】
このように、シリーズ予約した番組がメディア１枚分録画された段階で、ＤＶＤに自動的に録画できる。また、ＤＶＤにメディア管理テーブルの内容も記録することにより、ＤＶＤの内容を容易に把握でき、番組再生を快適に行える。
【００７１】
番組のダビング終了後、記録装置１００の削除部１１３は、ＨＤＤ１０４の録画内容をどのように削除する設定になっているか確認する。そして、削除部１１３は、確認した設定に従って、ＨＤＤ１０４に録画された番組を削除する（ＳＴ４１３）。
【００７２】
このように、着脱型メディアであるＤＶＤへの番組のダビングを終了後にＨＤＤ１０４に録画されたダビング済みの番組を削除することにより、ＨＤＤ１０４がいっぱいになることによる録画失敗を回避することができる。
【００７３】
以上説明したように本実施の形態によれば、シリーズ録画した番組等が、ＤＶＤなどの着脱型メディアの容量分蓄積された段階で、着脱型メディアへのダビングをユーザに提案し、そしてダビングを実施することができる。このように、ＨＤＤ１０４に録画された番組を管理することにより、ＨＤＤ１０４の容量を有効に使うことができる。この結果、ユーザが知らないうちにＨＤＤ１０４がいっぱいになり、録画失敗をするという事態を回避できる。これは、特に、シリーズ予約のように大量のコンテンツをまとめて予約しておき、後で自動的に録画するような場合に非常に効果的である。
【００７４】
また、本実施の形態によれば、ＤＶＤの容量分のデータが貯まった時点でダビングを行うので、ＤＶＤの容量も効果的に使用でき、ダビングするＤＶＤの枚数も削減できる。なお、ＤＶＤの容量分のデータが貯まった時点でダビングを行うように説明したが、シリーズ予約等予め記録できる放送回数を予想し、その都度ダビングして、ＨＤＤ１０４の録画した番組を削除しても良い。
【００７５】
なお、本実施の形態では、記録するコンテンツとして番組を用いて説明したが、コンテンツは音楽、静止画、テキストなど、いかなるものであっても良い。
【００７６】
また、本実施の形態では、シリーズ予約され、ＨＤＤ１０４に録画された番組がＤＶＤ１枚分になった時点でＤＶＤにダビングする形態で説明したが、シリーズ予約された番組でなくても、同一ジャンルの番組、同一キーワードを持つ番組、ユーザがグループ設定した番組などの累計録画データ量がＤＶＤ１枚分になった時点でＤＶＤにダビングする形態であっても良い。
【００７７】
また、記録装置１００が行う処理をプログラムにし、汎用のコンピュータに実行させる形態であっても良い。
【産業上の利用可能性】
【００７８】
本発明によれば、固定型の記録手段の容量を有効に使うことができる。また、本発明は、ＨＤＤ付のＤＶＤレコーダーや、ＴＶチューナー付のＰＣなど、コンテンツを記録する装置ならいかなるものにも適用できる。
【図面の簡単な説明】
【００７９】
【図１】本発明の一実施の形態における記録装置のブロック図
【図２】本実施の形態における録画予約テーブルの構成図
【図３】本実施の形態におけるメディア管理テーブルの構成図
【図４】本実施の形態における記録装置のダビング処理のフローチャート
【図５】本実施の形態におけるフォーマットと、ＤＶＤ−ＲＡＭおよびＤＶＤ−Ｒへの録画可能時間との対応関係を示す図
【符号の説明】
【００８０】
１００  記録装置
１０３  制御部
１０４  ＨＤＤ
１０７  ＤＶＤ記録再生部
１０８  録画予約テーブル
１０９  メディア管理テーブル
１１２  不要部分削除部
１１３  削除部
１１４  ダビング予約部
【図１】
2006197347.tif 000003
【図２】
2006197347.tif 000004
【図３】
2006197347.tif 000005
【図４】
2006197347.tif 000006
【図５】
2006197347.tif 000007